(57)【要約】【課題】薬液の排出作業を安定的に行える噴霧機を提供する。【解決手段】薬液タンク１の左右の幅寸法が前後の厚さ寸法より大きくなっており、薬液タンク１の正面の下部中央に薬液タンク内の薬液を排出させるドレン口１０が設けられ、薬液タンク１の下端部が台座部１５に設けられ、台座部１５に２つの凸部１５ａ,１５ａが左右に離間して設けられ、当該凸部１５ａ,１５ａ間の凹部１５ｂがドレン口１０の下方に位置している。薬液の排出作業を行う場合、台座部１５を支点として斜めに回転させて行うが、この際、台座部１５の２つの凸部１５ａ,１５ａで噴霧機の全荷重を受け、しかも、薬液タンク１を傾けた際の重心移動も少ないので、より安定的な排出作業となる。【選択図】図１
2014064483.tif 000002
【特許請求の範囲】
【請求項１】
薬液タンク（１）を有する噴霧機において、
前記薬液タンク（１）の左右の幅寸法が前後の厚さ寸法より大きくなっており、
前記薬液タンク（１）の正面（２）の下部中央に前記薬液タンク（１）内の薬液を排出させるドレン口（１０）が設けられていることを特徴とする噴霧機。
【請求項２】
前記薬液タンク（１）の下端部が台座部（１５）に設けられ、
この台座部（１５）の左右の幅寸法は、前記薬液タンク（１）の幅寸法とほぼ等しくなっており、
前記台座部（１５）には、その正面側に２つの凸部（１５ａ,１５ａ）が左右に離間して設けられ、
当該２つの凸部（１５ａ,１５ａ）間の凹部（１５ｂ）が前記ドレン口（１０）の下方に位置していることを特徴とする請求項１に記載の噴霧機。
【請求項３】
前記薬液タンク（１）の背面（６）の下部に、凹所（１２）が設けられていることを特徴とする請求項１または請求項２に記載の噴霧機。
【発明の詳細な説明】
【技術分野】
【０００１】
本発明は、背負式の噴霧機や小型の台車等で移動可能なポータブル型の噴霧機等の噴霧機に関する。
【背景技術】
【０００２】
従来、背負った状態で作業を行う噴霧機の一例として特許文献１に記載のものが知られている。
この噴霧機はバッテリ式動力噴霧機であり、農薬等の薬液を貯留する薬液タンクを備えている。この薬液タンクの背面部に形成された凹部に、薬液タンク内の薬液を吸引して噴霧ノズルに圧送するポンプと、ポンプを駆動するための電動モータと、電動モータに電力を供給するバッテリとが配置されている。
【０００３】
前記薬液タンクの左右の幅寸法は前後の厚さ寸法より大きくなっており、当該薬液タンクの側面の下部に薬液タンク内の薬液を排出させるドレン口が設けられている。
このようにドレン口が設けられているのは、噴霧作業終了後に、薬液タンクに残っている薬液を排出させて、回収するためである。
【先行技術文献】
【特許文献】
【０００４】
【特許文献１】特開２００４−６８９１１号公報
【発明の概要】
【発明が解決しようとする課題】
【０００５】
ところで、噴霧作業終了後に薬液タンクに残っている薬液をドレン口から排出させる場合、薬液タンクを水平面に対して傾ける場合がある。この場合、薬液タンクの側面の下端縁部を、当該薬液タンクが置かれた載置面（地面や作業台の上面等）に載置したうえで、当該薬液タンクの側面の下端縁部を支点として、側面を手前に傾けるようにしている。
このような薬液の排出作業は、薬液タンクの側面の下端縁部で、噴霧機の全荷重を受けるが、側面の下端縁部は短いため、不安定な作業となる。
一方、薬液タンクの前後の厚さ寸法を大きくすれば、噴霧機の全荷重を受ける部分、つまり側面の下端縁部の長さが長くなるので、ある程度薬液の排出作業を安定的に行えるが、噴霧機が背負い式等の場合、その重心が噴霧機を背負う人の体から離れてしまうので、前後の厚さ寸法は大きくすることは好ましくない。
【０００６】
本発明は、前記事情に鑑みてなされたもので、薬液の排出作業を安定的に行える噴霧機を提供することを目的とする。
【課題を解決するための手段】
【０００７】
前記目的を達成するために、本発明の噴霧機は、薬液タンク（１）を有する噴霧機において、
前記薬液タンク（１）の左右の幅寸法が前後の厚さ寸法より大きくなっており、
前記薬液タンク（１）の正面（２）の下部中央に前記薬液タンク（１）内の薬液を排出させるドレン口（１０）が設けられていることを特徴とする。
【０００８】
本発明においては、薬液の排出作業は、薬液タンクの正面の下端縁部を、当該薬液タンクが置かれた載置面（地面や作業台の上面等）に載置したうえで、当該薬液タンクの正面の下端縁部を支点として正面を手前に傾けるようにして行うので、薬液タンクの正面の下端縁部で、噴霧機の全荷重を受けることになる。薬液タンクの正面の下端縁部は側面の下端縁部に比して長いので、従来のような側面の下端縁部で全荷重を受ける場合に比して安定的定な排出作業となる。
また、薬液タンクを傾けた際の重心移動も少ないので、この点においても、安定的な排出作業となる。
【０００９】
本発明の前記構成において、前記薬液タンク（１）の下端部が台座部（１５）に設けられ、
この台座部（１５）の左右の幅寸法は、前記薬液タンク（１）の幅寸法とほぼ等しくなっており、
前記台座部（１５）には、その正面側に２つの凸部（１５ａ,１５ａ）が左右に離間して設けられ、
当該２つの凸部（１５ａ,１５ａ）間の凹部（１５ｂ）が前記ドレン口（１０）の下方に位置しているのが好ましい。
【００１０】
このような構成によれば、薬液の排出作業を行う場合、台座部を、当該台座部が置かれた載置面（地面や作業台の上面等）に載置したうえで、当該台座部を支点として薬液タンクの正面を手前に傾けるようにして行うが、この際、台座部の２つの凸部で噴霧機の全荷重を受けるので、より安定的な排出作業となる。
また、２つの凸部間の凹部がドレン口の下方に位置しているので、ドレン口から排出された薬液を下から受け易く、排出作業性が高まる。
さらに、薬液タンクの幅寸法とほぼ等しい台座部に、２つの凸部を設けるので、凸部間の間隔も広めにとることができる。したがって、この点においても、安定的な排出作業となる。
【００１１】
また、本発明の前記構成において、前記薬液タンク（１）の背面（６）の下部に凹所（１２）が設けられているのが好ましい。
【００１２】
このような構成によれば、薬液タンクの背面の下部に凹所が設けられているので、薬液タンク内はその上部より下部の方が容積が小さくなる。したがって、残っている薬液が少量であっても、当該薬液を排出作業の際に、ドレン口から排出させ易くなる。
また、薬液タンクの背面の下部の凹所にポンプ、ポンプを駆動するための電動モータ、電動モータに電力を供給するバッテリ等を収容できる。
【発明の効果】
【００１３】
本発明によれば薬液の排出作業を安定的に行える。
【図面の簡単な説明】
【００１４】
【図１】本発明に係る噴霧機の一例を示すもので、（ａ）は斜視図、（ｂ）は正面図、（ｃ）は底面図である。
【図２】同、薬液排出作業の際に噴霧機を傾けた状態を示す斜視図である。
【図３】同、薬液タンクの斜視図である。
【図４】同、薬液タンクの側面図である。
【発明を実施するための形態】
【００１５】
以下、本発明の実施の形態について図面を参照して説明する。
図１は本実施の形態に係る噴霧機の一例を示すもので、（ａ）は斜視図、（ｂ）は正面図、（ｃ）は底面図である。
【００１６】
本実施の形態に係る噴霧機はバッテリ式動力噴霧機であり、農薬等の薬液を貯留する薬液タンク１を備えている。
薬液タンク１は合成樹脂で形成されおり、図１、図３および図４に示すように、正面視において縦長の略長方形状となっている。薬液タンク１の正面２は正面上部２ａと正面下部２ｂとによって構成されており、正面上部２ａと正面下部２ｂとの境界部が前方（図４において右方）に突出している。つまり、正面上部２ａと正面下部２ｂとは境界部を挟んで鉛直面に対して逆方向に傾斜している。
また、薬液タンク１の正面の下部中央、すなわち、正面下部２ｂの下端縁部の中央部に、薬液タンク１内の薬液を排出させるドレン口１０が設けられており、このドレン口１０にドレンキャップ１１が取り外し可能に取り付けられている。
【００１７】
薬液タンク１の側面３は側面上部３ａと側面下部３ｂとによって構成されており、これら側面上部３ａと側面下部３ｂとは連続した平面を構成している。側面下部３ｂの背面側に沿う縁部は、正面２側に向けて略円弧状に窪んでいる。これによって、薬液タンク１は側面視において、下方に向かうほど先細りとなる形状となっている。なお、側面上部３ａの上端部には取手３ｃが設けられている。
【００１８】
薬液タンク１の上面４は緩やかな円弧面によって構成されており、その中央部には薬液タンク１内に薬液を充填するための充填口が形成され、この充填口に蓋７が取り外し可能に取り付けられている。なお、蓋７には取手７ａが固定されている。また、薬液タンク１の上面４と側面３とは滑らかな円弧面によって連続している。
薬液タンク１の底面５は、薬液タンク１の左右の幅方向に長尺な略半円筒状の面で構成されており、正面２と背面６とに滑らかに接続されている。
【００１９】
前記薬液タンク１の背面６は、背面上部６ａと背面下部６ｂとによって構成されており、この背面下部６ｂは正面２側に向けて略円弧面状に窪んでおり、これによって、薬液タンク１の背面６の下部に凹所１２が設けられている。
この凹所１２には、薬液タンク１内の薬液を吸引して噴霧ノズルに圧送するポンプ、ポンプを駆動するための電動モータ、電動モータに電力を供給するバッテリ等を有する薬液供給装置１３が設けられている。
【００２０】
前記構成の薬液タンク１の左右の幅寸法は前後の厚さ寸法より大きくなっている。つまり、薬液タンク１はその正面２および背面６の幅寸法が、側面３の幅寸法より大きくなっている。
また、薬液タンク１の下端部は台座部１５に設けられており、この台座部１５の左右の幅寸法は、薬液タンク１の左右の幅寸法とほぼ等しくなっている。
台座部１５にはその正面側に２つの凸部１５ａ,１５ａが左右に離間して設けられており、この２つの凸部１５ａ,１５ａ間の凹部１５ｂが前記ドレン口１０の下方に位置している。
【００２１】
凸部１５ａは、台座部１５の端部から中央部に向けて略円弧面状に突出しており、凹部１５ｂとの境界部が最も前方に突出している。また、凹部１５ｂは略円弧面状に窪んでおり、ドレン口１０の直下にある部位が最も窪んでいる。凹部１５ｂの左右の幅はドレン口１０の直径より十分大きくなっており、奥行きはドレン口１０の長さとほぼ等しくなっている。
【００２２】
前記のような構成の噴霧機において、噴霧作業終了後に薬液タンク１に残っている薬液をドレン口１０から排出させる場合、まず、台座部１５を、地面や作業台の上面等の載置面に載置したうえでドレンキャップ１１をドレン口１０から取り外す。
次に、図２に示すように、台座部１５を支点として薬液タンク１の正面２を手前に傾けるようにして噴霧機ごと傾けて、ドレン口１０から薬液を排出させる。一方、バケツ等の容器を台座部１５の凹部１５ｂに配置しておき、ドレン口１０から排出する薬液を当該容器で受けて回収する。
【００２３】
このように薬液の排出作業においては、台座部１５を支点として薬液タンク１の正面２を手前に傾けるようにうして行うが、この際、台座部１５の２つの凸部１５ａ,１５ａで噴霧機の全荷重を受け、しかも、薬液タンク１を傾けた際の重心移動も少ないので、より安定的な排出作業となる。
また、台座部１５の凹部１５ｂがドレン口１０の下方に位置しているので、ドレン口１０から排出された薬液を下から受け易く、排出作業性が高まる。
さらに、薬液タンク１の幅寸法とほぼ等しい台座部１５に、２つの凸部１５ａ,１５ａを設けるので、凸部１５ａ,１５ａ間の間隔も広めにとることができる。したがって、この点においても、安定的な排出作業となる。
また、薬液タンク１の背面６の下部に凹所１２が設けられているので、薬液タンク１内はその上部より下部の方が容積が小さくなる。したがって、残っている薬液が少量であっても、当該薬液を排出作業の際に、ドレン口１０から排出させ易くなる。
また、薬液タンク１の背面６の下部の凹所１２にポンプ、電動モータ、バッテリ等の薬液供給装置１３を収容できる。
【００２４】
なお、本実施の形態では、薬液タンク１の下端部に台座部１５を設けたが、この台座部１５は設けなくてもよい。
この場合、薬液の排出作業は、薬液タンク１の正面の下端縁部を、当該薬液タンク１が置かれた載置面（地面や作業台の上面等）に載置したうえで、当該薬液タンク１の正面の下端縁部を支点として正面を手前に傾けるようにして行えばよい。これにより、薬液タンク１の正面の下端縁部で、噴霧機の全荷重を受けることになるが、薬液タンク１の正面の下端縁部は側面の下端縁部に比して長いので安定的定な排出作業となる。
【符号の説明】
【００２５】
１    薬液タンク
２    正面
３    側面
６    背面
１０  ドレン口
１２  凹所
１５  台座部
１５ａ  凸部
１５ｂ  凹部
【図１】
2014064483.tif 000003
【図２】
2014064483.tif 000004
【図３】
2014064483.tif 000005
【図４】
2014064483.tif 000006